(57)【要約】【課題】ＣＡＴＶシステムにおいて、ＢＳ、ＣＳディジタル放送をパススルー方式で伝送させる。【解決手段】ＨＦＣシステムにおいて、光ファイバー伝送路２１、２２を伝搬する光の波長とは異なる波長の光を伝搬させる第２光ファイバー伝送路６１、６２が、ヘッドエンド１０から各需要家５０の入り口まで布設される。需要家の入り口には、第２光ファイバー伝送路を伝搬する下り光信号を下り帯域の電気信号に変換する光／電気変換器７１と、光／電気変換器の出力する下り帯域の電気信号を入力して、需要家内に布設されいてる第２同軸ケーブル伝送路５１に出力し、その第２同軸ケーブル伝送路からヘッドエンドの方向に伝送される上り帯域の電気信号を、 第１同軸ケーブル伝送路４０に出力する分波／合波器７２とを有する拡張ＯＮＵが設置される。これにより、需要家では、パススルー方式の地上ディジタル放送波、ＢＳ、ＣＳディジタル放送波を受信することができる。【選択図】図１
2011004008.tif 000002
【特許請求の範囲】
【請求項１】
ヘッドエンドに接続する複数の光ファイバー伝送路と、各前記光ファイバー伝送路に接続する光ノード装置と、前記光ノード装置から複数の需要家の保安器が設置される入り口まで布設された第１同軸ケーブル伝送路と、その入り口から需要家に設置された端末装置までに布設された第２同軸ケーブル伝送路とを有したＨＦＣシステムにおいて、
前記ヘッドエンドから前記各需要家の入り口まで布設され、前記光ファイバー伝送路を伝搬する光の波長とは異なる波長の光を伝搬させる第２光ファイバー伝送路と、
前記入り口に設置され、前記第２光ファイバー伝送路を伝搬する下り光信号を下り帯域の電気信号に変換する光／電気変換器と、
前記入り口に設置され、前記光／電気変換器の出力する下り帯域の電気信号を入力して、前記第２同軸ケーブル伝送路に出力し、その第２同軸ケーブル伝送路から前記ヘッドエンドの方向に伝送される上り帯域の電気信号を、 前記第１同軸ケーブル伝送路に出力する分波／合波器と、
前記ヘッドエンドに設置され、前記第２光ファイバー伝送路に対して、地上ディジタル放送波は、空間周波数帯域と同一周波数のまま、ＢＳディジタル放送波及びＣＳディジタル放送波は、それぞれ、ＢＳ−ＩＦ及びＣＳ−ＩＦに周波数変換して、光変調により光信号として、前記第２光ファイバー伝送路に出力する放送波送出装置と、
を設けたことを特徴とするＣＡＴＶシステム。
【請求項２】
ヘッドエンドに接続する複数の光ファイバー伝送路と、各前記光ファイバー伝送路に接続する光ノード装置と、前記光ノード装置から下流側に向かって布設され、複数の経路に分岐させる複数の分岐装置を有した第１同軸ケーブル伝送路と、前記需要家に直接接続される分岐装置を末端分岐装置とし、その需要家とその末端分岐装置とを接続する第３同軸ケーブル伝送路と、第３同軸ケーブル伝送路に接続され、需要家の入り口から需要家に設置された端末装置まで布設された第２同軸ケーブル伝送路とを有したＨＦＣシステムにおいて、
前記ヘッドエンドから、前記末端分岐装置まで布設され、前記光ファイバー伝送路を伝搬する光の波長とは異なる波長の光を伝搬させる第２光ファイバー伝送路と、
前記末端分岐装置の位置に設置され、前記第２光ファイバー伝送路を伝搬する下り光信号を下り帯域の電気信号に変換する光／電気変換器と、
前記末端分岐装置の分岐端子と前記第３同軸ケーブル伝送路の上流側端子との間に設置され、前記光／電気変換器の出力する下り帯域の電気信号を入力して、前記第３同軸ケーブル伝送路の下流側に出力し、前記第３同軸ケーブル伝送路から前記ヘッドエンドの方向に伝送される上り帯域の電気信号を、 前記末端分岐装置の前記分岐端子に出力する分波／合波器と、
前記ヘッドエンドに設置され、前記第２光ファイバー伝送路に対して、地上ディジタル放送波は、空間周波数帯域と同一周波数のまま、ＢＳディジタル放送波及びＣＳディジタル放送波は、それぞれ、ＢＳ−ＩＦ及びＣＳ−ＩＦに周波数変換して、光変調により光信号として、前記第２光ファイバー伝送路に出力する放送波送出装置と、
を設けたことを特徴とするＣＡＴＶシステム。
【請求項３】
前記分波／合波器の下流側端子と、前記第３同軸ケーブル伝送路の前記上流側端子との間に配設された分配器を有し、
前記需要家に接続される前記第３同軸ケーブル伝送路の上流側端子は、この分配器の分配端子に接続されることを特徴とする請求項２に記載のＣＡＴＶシステム。
【請求項４】
前記末端分岐装置に換えて、分岐器を介して、前記分波／合波器の出力する上り帯域の電気信号を出力する端子を前記第１同軸ケーブル伝送路に接続したことを特徴とする請求項３に記載のＣＡＴＶシステム。
【発明の詳細な説明】
【技術分野】
【０００１】
本発明は、既存のＨＦＣシステムを併用して、各需要家のテレビジョン受像機にて、ＢＳディジタル放送、ＣＳディジタル放送をパススルー方式で、受信可能とするものである。
【背景技術】
【０００２】
従来より、ＨＦＣ（Hybrid Fiber-Coaxial）と呼ばれるネットワークシステムが知られている（たとえば特許文献１）。これは、ヘッドエンドから幹線部分までを光ファイバー伝送路とし、幹線から各加入者までの支線部分を同軸ケーブル伝送路とする方式である。光ファイバー伝送路と同軸ケーブル伝送路は、光信号と電気信号を相互に変換する光ノード装置を用いて接続される。
【０００３】
このＨＦＣシステムにおいては、地上ディジタル放送波は、空間周波数帯域と同一周波数によるパススルー方式で、同軸ケーブル伝送路に伝送されている。しかし、同軸ケーブル伝送路は、支線上に設けられた増幅器や分配器なとの中継装置の特性上、７７０ＭＨｚまでの帯域の信号しか伝送できないので、ＢＳディジタル放送、ＣＳディジタル放送は、ＢＳ−ＩＦ、ＣＳ−ＩＦ帯域の周波数によるパススルー方式では、伝送できなかった。このため、ＢＳディジタル放送、ＣＳディジタル放送は、ＱＡＭ変調により、７７０ＭＨｚ以下の帯域において送信されていた。
【先行技術文献】
【特許文献】
【０００４】
【特許文献１】特開２００６−７４１９３
【発明の概要】
【発明が解決しようとする課題】
【０００５】
この結果、各需要家では、地上ディジタル放送信号については、パススルー方式で、ディジタルテレビジョン受像機に出力し、ＢＳ、ＣＳディジタル放送信号については、セットトップボックスにより、ベースバンド信号に変換された後に、この映像、音声信号をテレビジョン受像機の映像音声出力端子に出力していた。
【０００６】
このため、地上ディジタル放送を見る場合には、テレビジョン受像機用のリモートコントロール操作盤により操作し、ＢＳ、ＣＳディジルタ放送を見る場合には、セットトップボックス用のリモートコントロール操作盤により操作する必要があった。また、番組予約、録画予約、録画などを行う場合も、地上ディジルタ放送は、テレビジョン受像機に対する操作で行い、ＢＳ、ＣＳディジルタ放送は、セットトップボックスに対する操作で行う必要があった。このため、操作盤を切り換えることが必要となり、それぞれの仕様にあった操作を必要とし、操作が煩雑となっていた。
【０００７】
また、最近のテレビジョン受像機には、データ受信による番組予約、録画予約、受像機に一体的に付加された記憶装置への放送信号の記憶など、多くのディジタル放送及びデータ放送による機能が付加されている。このため、各需要家は、テレビジョン受像機だけの機能を用い、セットトップボックスの機能を使用しない傾向があった。テレビジョン受像機だけを用いるために、地上ディジルタ放送は、ＣＡＴＶシステムから受信し、ＢＳ、ＣＳディジルタ放送は、需要家に設置されたアンテナから受信してＢＳ−ＩＦ、ＣＳ−ＩＦ信号に変換して、この信号を、直接、テレビジョン受像機に入力するようにしていた。
【０００８】
この結果、需要家は、ＣＡＴＶシステムから、離れて、地上ディタル放送も含めて、空間電波を受信する傾向にあり、ＨＦＣシステムが有効に使用されない傾向にある。
【０００９】
そこで本発明の目的は、既に、布設されているＨＦＣシステムを用いて、ＢＳディジタル放送、ＣＳディジタル放送を、各需要家において、ＢＳ−ＩＦ、ＣＳ−ＩＦパススルー方式で、テレビジョン受像機において受信できるようにすることである。
【課題を解決するための手段】
【００１０】
第１の発明は、ヘッドエンドに接続する複数の光ファイバー伝送路と、各光ファイバー伝送路に接続する光ノード装置と、光ノード装置から複数の需要家の保安器が設置される入り口まで布設された第１同軸ケーブル伝送路と、その入り口から需要家に設置された端末装置までに布設された第２同軸ケーブル伝送路とを有したＨＦＣシステムにおいて、ヘッドエンドから各需要家の入り口まで布設され、光ファイバー伝送路を伝搬する光の波長とは異なる波長の光を伝搬させる第２光ファイバー伝送路と、入り口に設置され、第２光ファイバー伝送路を伝搬する下り光信号を下り帯域の電気信号に変換する光／電気変換器と、入り口に設置され、光／電気変換器の出力する下り帯域の電気信号を入力して、第２同軸ケーブル伝送路に出力し、その第２同軸ケーブル伝送路からヘッドエンドの方向に伝送される上り帯域の電気信号を、 第１同軸ケーブル伝送路に出力する分波／合波器と、ヘッドエンドに設置され、第２光ファイバー伝送路に対して、地上ディジタル放送波は、空間周波数帯域と同一周波数のまま、ＢＳディジタル放送波及びＣＳディジタル放送波は、それぞれ、ＢＳ−ＩＦ及びＣＳ−ＩＦに周波数変換して、光変調により光信号として、第２光ファイバー伝送路に出力する放送波送出装置と、を設けたことを特徴とするＣＡＴＶシステムである。
本システムでは、光／電気変換器と分波／合波器とが、拡張ＯＮＵ（Optical Network Unit）装置として、各需要家の軒下に設けられることが特徴である。この拡張ＯＮＵ装置には、既設の同軸ケーブル伝送路と、新設の第２光ファイバー伝送路とが接続される。この拡張ＯＮＵ装置は、既設の保安器筐体の中に組み込まれても良い。
【００１１】
また、第２の発明は、ヘッドエンドに接続する複数の光ファイバー伝送路と、各光ファイバー伝送路に接続する光ノード装置と、光ノード装置から下流側に向かって布設され、複数の経路に分岐させる複数の分岐装置を有した第１同軸ケーブル伝送路と、需要家に直接接続される分岐装置を末端分岐装置とし、その需要家とその末端分岐装置とを接続する第３同軸ケーブル伝送路と、第３同軸ケーブル伝送路に接続され、需要家の入り口から需要家に設置された端末装置まで布設された第２同軸ケーブル伝送路とを有したＨＦＣシステムにおいて、ヘッドエンドから、末端分岐装置まで布設され、光ファイバー伝送路を伝搬する光の波長とは異なる波長の光を伝搬させる第２光ファイバー伝送路と、末端分岐装置の位置に設置され、第２光ファイバー伝送路を伝搬する下り光信号を下り帯域の電気信号に変換する光／電気変換器と、末端分岐装置の分岐端子と第３同軸ケーブル伝送路の上流側端子との間に設置され、光／電気変換器の出力する下り帯域の電気信号を入力して、第３同軸ケーブル伝送路の下流側に出力し、第３同軸ケーブル伝送路からヘッドエンドの方向に伝送される上り帯域の電気信号を、 末端分岐装置の分岐端子に出力する分波／合波器と、ヘッドエンドに設置され、第２光ファイバー伝送路に対して、地上ディジタル放送波は、空間周波数帯域と同一周波数のまま、ＢＳディジタル放送波及びＣＳディジタル放送波は、それぞれ、ＢＳ−ＩＦ及びＣＳ−ＩＦに周波数変換して、光変調により光信号として、第２光ファイバー伝送路に出力する放送波送出装置と、を設けたことを特徴とするＣＡＴＶシステムである。
本発明では、光／電気変換器と分波／合波器とが、拡張ＯＮＵ装置として、第１同軸ケーブル伝送路に挿入された分岐装置の分岐端子に接続されることが特徴である。
【００１２】
また、第２の発明においては、分波／合波器の下流側端子と、第３同軸ケーブル伝送路の上流側端子との間に配設さた分配器を有し、需要家に接続される第３同軸ケーブル伝送路の上流側端子は、この分配器の分配端子に接続されるようにしても良い。すなわち、拡張ＯＮＵ装置として、分配器を含んでいても良い。したがって、各需用家は、この分配器の各分配端子に、それぞれ、第３同軸ケーブル伝送路を介して接続されることになる。
また、この発明においては、末端分岐装置に換えて、分岐器を介して、分波／合波器の出力する上り帯域の電気信号を出力する端子を第１同軸ケーブル伝送路に接続するようにしても良い。すなわち、分岐装置を第１同軸ケーブル伝送路に挿入して、上記の拡張ＯＮＵ装置をその分岐装置の分岐端子に接続するようにしても良い。
【発明の効果】
【００１３】
本発明によると、既布設のＨＦＣシステムにおける需要家内において、新たな光ファイバーの配線を必要とすることなく、既に、布設されている同軸ケーブル伝送路を用いて、ＢＳディジタル放送、ＣＳディジタル放送を、ＢＳ−ＩＦ、ＣＳ−ＩＦパススルー方式で、テレビジョン受像機に出力することができる。したがって、各需要家では、従来のＣＡＴＶ用の同軸ケーブル伝送路を用いて、ＢＳ、ＣＳディジルタ放送用のアンテナを立てる必要もなく、セットトップボックスも必要とせずに、地上ディジル放送、ＢＳディジルタ放送、ＣＳディジルタ放送の選局、番組予約、録画予約、録画などを、テレビジョン受像機だけで行うことができる。よって、需要家における利便性が向上する。
【図面の簡単な説明】
【００１４】
【図１】本発明の具体的な実施例１に係るＣＡＴＶシステムの構成図。
【図２】本発明の具体的な実施例２に係るＣＡＴＶシステムの構成図。
【図３】本発明の具体的な実施例３に係るＣＡＴＶシステムの構成図。
【発明を実施するための形態】
【００１５】
以下、本発明の具体的な実施例について、図を参照して説明するが、本発明はこれらの実施例に限定されるものではない。
【実施例１】
【００１６】
図１は、実施例１のＣＡＴＶシステムの構成を示した図である。本実施例のＣＡＴＶシステムのうち、既布設のＨＦＣシステムとして、ヘッドエンド１０と、フィールドに設けられた光ノード装置２３と、ヘッドエンド１０と光ノード装置２３とを接続する下り信号用の光ファイバー伝送路２１と、上り信号用の光ファイバー伝送路２２と、光ノード装置２３と需要家５０を接続する同軸ケーブル伝送路４０とが設けられている。同軸ケーブル伝送路４０には、各需要家に信号を分岐するための４分岐の分岐装置４１が複数、それぞれの位置に設けられている。分岐装置４１は、下流側に位置する程、分岐損失を小さく、上流側になる程、分岐損失を大きくして、増幅器がなくとも、各支線に分岐される信号レベルが、下流になっても大きく減衰しないように構成されている。
【００１７】
また、ヘッドエンド１０には、電気信号を光信号に変換して、光信号を下り信号用の光ファイバー伝送路２１に出力する電気／光変換器１１と、上り信号用の光ファイバー伝送路２２をヘッドエンド１０に向けて伝搬した光信号を電気信号に変換する光／電気変換器１２とが設けられている。電気／光変換器１１には、放送波送出装置１６とデータ送信装置１７とが接続されており、こられの装置により、従来のＣＡＴＶにおけるテレビジョン放送信号と、下りデータ信号とが各需要家に向けて出力される。また、各需要家からの上りデータ信号は、光／電気変換器１２により電気信号に変換されて、データ受信装置１８によりデータ処理される。電気／光変換器１１、光／電気変換器１２、光ノード装置２３は、１．３μｍのレーザ光を変調又は復調する装置である。
【００１８】
また、需要家５０には、第２同軸ケーブル伝送路５１と、分配器５２とが設けられ、その分配器５２の一分配端子にテレビジョン受像機５３が接続され、他の分配端子にケーブルモデム５４を介して、パーソナルコンピュータ（ＰＣ）５５が接続されている。
【００１９】
このＨＦＣシステムにおいて、本発明の実施例では、ヘッドエンド１０からフィールドに配置された光分配器６０までを接続する光ファイバー伝送路６１と、光分配器６０から各需要家５０の軒下に設置される拡張ＯＮＵ７０まで布設された光ファイバー伝送路６２とが新たに布設される。この光ファイバー伝送路６１と６２とが、第２光ファイバー伝送路である。光ファイバー伝送路６１は、ヘッドエンド１０の電気／光変換器１３に接続され、その電気／光変換器１３に放送波送出装置１４とデータ送信装置１５とが接続されている。放送波送出装置１４は、地上ディジタル放送波は、空間周波数帯域と同一周波数のまま、ＢＳディジタル放送波及びＣＳディジタル放送波は、それぞれ、ＢＳ−ＩＦ及びＣＳ−ＩＦに周波数変換して、出力する装置である。また、放送波送出装置１４は、ローカルＣＡＴＶ放送波も、地上ディジタル放送の空きチャネルの周波数で出力している。
【００２０】
一方、各需要家５０の軒下に配設される拡張ＯＮＵ７０は、光ファイバー伝送路６２に接続された光電気変換器であるＶ−ＯＮＵ（Visual Optical Network Unit)７１と、分波／混合器７２と、保護ダイオード（アレスタ保安器）７３が設けられている。分波／混合器７２は、７０〜２６００ＭＨｚの下り帯域と、１０〜５５ＭＨｚの上り帯域との信号を分離、混合する方向性フィルタである。分波／混合器７２の下り帯域の信号を通過させる端子に、Ｖ−ＯＮＵ７１の出力端が接続されている。また、分波／混合器７２の上り帯域の信号を通過させる端子には、分岐装置４１の分岐端子に接続された同軸ケーブル伝送路４２が接続されている。同軸ケーブル伝送路４０と４２とが、第１同軸ケーブル伝送路を構成する。また、分波／混合器７２の上り帯域出力端子と、アースとの間に、保護ダイオード７３が設けられている。Ｖ−ＯＮＵ７１、分波／混合器７２、及び、保護ダイオード７３を有する拡張ＯＮＵ７０は、従来の保安器筐体の中に、保護ダイオード７３と共に、組み込まれた装置である。もちろん、拡張ＯＮＵ７０は、従来の保安器とは、別の筐体として構成されても良い。
【００２１】
次に、本実施例システムの作用について説明する。まず、ヘッドエンド１０の電気／光変換器１１からは、従来の放送波（地上ディジタル、アナログ、ＢＳのＱＡＭ変調、ＣＳのＱＡＭ変調、ローカルＣＡＴＶ放送など）と、下りデータ信号とが、光ファイバー伝送路２１に出力される。これらの信号は、光ノード装置２３、同軸ケーブル伝送路４０、分岐装置４１、同軸ケーブル伝送路４２を伝送し、各需要家のセットトップボックス入力し、テレビジョン受像機により選局されて画像表示される。この時、地上ディジタル放送は、パススルーにより、直接、テレビジョン受像機に入力される。一方、ＢＳ、ＣＳディジタル放送や、ローカルＣＡＴＶ放送は、セットトップボックスによりベースバンドの映像音声信号に復調されて、テレビジョン受像機の映像音声入力端子に出力される。この結果、地上ディジタル放送の選局や録画、番組予約などは、テレビジョン受像機によって操作され、ＢＳ、ＣＳディジタル放送に関しては、セットトップボックスにより選局や録画などの操作が実行される。この結果、操作が２系統となり、操作が煩雑である。
【００２２】
一方、本発明の構成部分は、次の作用をする。本実施例ヘッドエンド１０の放送波送出装置１４からは、地上ディジタル放送波は、空間周波数帯域と同一周波数のまま、ＢＳディジタル放送波及びＣＳディジタル放送波は、それぞれ、ＢＳ−ＩＦ及びＣＳ−ＩＦに周波数変換されて出力される。そして、電気／光変換器１３により、これらの放送波信号に基づいて、波長１．５５μｍのレーザ光が変調されて、光ファイバー伝送路６１に送出される。また、ローカルＣＡＴＶ放送は、地上ディジタル放送の空きチャネルで、下りデータ信号も所定の空きチャネルに、電気／光変換器１３を介して、光ファイバー伝送路６１に出力される。これらの光信号は、光分配器６０により分配され、光ファイバー伝送路６２を伝搬して、各需要家５０の軒下に設置される拡張ＯＮＵ７０のＶ−ＯＮＵ７１に入力される。そして、このＶ−ＯＮＵ７１により、空間周波数帯域における周波数配置の地上ディジタル放送、ＢＳ−ＩＦ帯域及びＣＳ−ＩＦ帯域のＢＳディジタル放送及びＣＳディジタル放送の信号に変換される。また、ローカルＣＡＴＶ放送、下りデータ信号も、同様に、下り帯域の電気信号に変換される。これらの下り帯域の電気信号は、分波／合波器７２の高群下り帯域の入力端子入力して、同軸ケーブル伝送路５１に出力される。そして、分配器５２で分配された後に、直接、テレビジョン受像機５３に入力する。テレビジョン受像機５３では、そのテレビジョン受像機５３の操作だけで、空間周波数と同一の周波数配置及びＢＳ−ＩＦ帯域及びＣＳ−ＩＦ帯域で入力される放送信号の選局、番組予約、録画などの操作を行うことでできる。このため、操作が極めて簡単となる。同軸ケーブル伝送路５１が第２同軸ケーブル伝送を構成している。
【００２３】
一方、下りデータ信号は、分配器５２を介して、モデム５４に入力されて、ＰＣ５５で受信される。また、ＰＣ５５から出力される上りデータ信号は、分配器５２を介して、分波／合波器７２に入力して、上り帯域信号出力端子から、同軸ケーブル伝送路４２、分岐装置４１を介して、同軸ケーブル伝送路４０に出力される。これにより、ＰＣ５０は、ヘッドエッド１０と、データの相互通信を行うことができる。
【００２４】
上記の構成において、光ノード装置２３に接続されている同軸ケーブル伝送路４０は、伝搬可能周波数の上限が７７０ＭＨｚであるので、同軸ケーブル伝送路４０には、ＢＳ−ＩＦ帯域及びＣＳ−ＩＦ帯域のＢＳディジタル放送信号及びＣＳディジタル放送信号は伝搬しない。すなわち、この既設の同軸ケーブル伝送４０には、中継増幅器や、分岐装置４１が配設されているので、７７０ＭＨｚ〜２．６ＧＨｚの帯域の信号を通過させることができない。このため、ＢＳディジタル放送信号、ＣＳディジタル放送信号を、ＢＳ−ＩＦ・ＣＳ−ＩＦパススルー方式で、伝送させることができない。
【００２５】
一方、本発明の構成部分である光ファイバーケーブル６１、６２は、ＢＳ−ＩＦ・ＣＳ−ＩＦパススルー方式のＢＳディジタル放送信号、ＣＳディジタル放送信号の光変調信号を伝送することができる。そして、Ｖ−ＯＮＵ７１から下流側に存在する機器である分波／分岐器７２、同軸ケーブル５１、分配器５２は、いずれも、２．６ＧＨｚ帯域までの信号を伝搬することができる。同軸ケーブルだけであれば、２．６ＧＨｚの信号を伝搬することが可能である。したがって、本発明の方式を、既設のＨＦＣシステムに採用することで、パススルー方式で、ＢＳディジタル放送、ＣＳディジタル放送、ローカルＣＡＴＶ放送を伝送させることができる。しかも、本システムでは、光ファイバー伝送路６１、６２、光分配器６０を、フィールドに、新たに布設して、各需要家には軒下に、拡張ＯＮＵ７０を設置するだけで良い。各需要家５０の中では、新たに光ファイバーを布設する必要がなく、工事が簡単となるり、新たなシステムの追加が簡単に行われる。
【実施例２】
【００２６】
次に、本発明の具体例に係る実施例２について説明する。図２に示すように、本実施例に係る拡張ＯＮＵ８０は、同軸ケーブル伝送路４０に設けられた分岐装置４１の位置に設けられる。既設のＨＦＣシステムにおいて、需要家５０と分岐装置４１とは同軸ケーブル４３で接続されている。注目している需用家５０が、直接、接続される分岐装置４１が、この需要家５０に対する末端分岐装置である。この末端分岐装置の符号を４５とする。本実施例では、この末端分岐装置４５の位置まで、光ファイバー伝送路６２が布設される。拡張ＯＮＵ８０は、Ｖ−ＯＮＵ７１、分波／合波器７２を有している。このＶ−ＯＮＵ７１、分波／合波器７２は、実施例１のそれらと同一のものであり、同一の作用を奏する。分波／合波器７２の合波出力端子には、分配器８１が接続されている。この分配器８１の各分配端子８１１に、各需要家５０に至る既設の同軸ケーブル伝送路４３の上流側端子４３１が接続されている。この同軸ケーブル伝送路４３が、第３同軸ケーブル伝送路を構成する。Ｖ−ＯＮＵ７１の出力から下流側を見た伝送路には、増幅器や分岐装置が挿入されていないので、２．６ＧＨｚまでの周波数の信号を伝搬することができる。実施例１では、拡張ＯＮＵ７０は、各需要家５０の軒下に設けられているが、本実施例の拡張ＯＮＵ８０では、フィールドに設けられた分岐装置４１に接続されて、高群下り帯域の信号が下流に向かって４分配される点が異なるだけであるので、本実施例のシステムも、実施例１と同一の作用及び効果を奏する。尚、Ｖ−ＯＮＵ７１に対する給電は、電源供給器９１から電源挿入器９０を介して、電力が同軸ケーブル伝送路４０に重畳されることにより行われる。
【実施例３】
【００２７】
次に、本発明の具体例に係る実施例３について説明する。実施例３のシステムは、図３に示すように、実施例２に係る拡張ＯＮＵ８０を、同軸ケーブル伝送路４０に分岐器４６を挿入して、この分岐器４６の分岐端子に、この拡張ＯＮＵ８０を接続したことが特徴である。すなわち、分岐器４６の分岐端子と、拡張ＯＮＵ８０の分波／合波器７２の上り帯域出力端子とを接続したことが特徴である。本実施例では、同軸ケーブル伝送路４０の任意の位置に挿入され得る分岐器４６の位置まで、光ファイバー伝送路６２が布設される。この実施例においても、Ｖ−ＯＮＵ７１の出力から下流側を見た伝送路には、増幅器や分岐装置が挿入されていないので、２．６ＧＨｚまでの周波数の信号を伝搬することができる。実施例２では、拡張ＯＮＵ７０は、同軸ケーブル伝送路４０の分岐装置４１の位置に設けられているが、本実施例の拡張ＯＮＵ８０は、同軸ケーブル伝送路４０の任意の位置に設けることができる。本実施例のシステムも、実施例１と同一の作用及び効果を奏する。尚、Ｖ−ＯＮＵ７１に対する給電は、実施例２と同様に、電源供給器９１から電源挿入器９０を介して、電力が同軸ケーブル伝送路４０に重畳されることにより行われる。
【００２８】
なお、上記の全実施例において、拡張ＯＮＵの有する分波／合波器７２の上り帯域信号出力端子に、上り方向にのみ増幅する増幅器を設けても良い。分波／合波器７２だけでも、同軸ケーブル伝送路４０を需要家に向けて伝搬する下り帯域信号を遮断することができるが、この信号の遮断を確実にするために、ヘッドエンドに向かってのみ増幅する増幅器を設けることが望ましい。
【産業上の利用可能性】
【００２９】
本発明のＣＡＴＶシステムは、ＢＳディジルタ放送、ＣＳディジタル放送をパススルー方式で伝送させるシステムに用いることができる。
【符号の説明】
【００３０】
１０…ヘッドエンド
１１…電気／光変換器
１２…光／電気変換器
１４、１６…放送波送出装置
１５…データ送信装置
１８…データ受信装置
６１、６２…光ファイバー伝送路
６０…光分配器
２１、２２…光ファイバー伝送路
２３…光ノード装置
４０、４２、４３、５１…同軸ケーブル伝送路
７０、８０…拡張ＯＮＵ
７１…Ｖ−ＯＮＵ
７２…分波／合波器
５２、８１…分配器
【図１】
2011004008.tif 000003
【図２】
2011004008.tif 000004
【図３】
2011004008.tif 000005